(57)【要約】      （修正有）【課題】医療用等各種の液体輸送用ゴム管の汚れ防止（生物粘着を含む）及び耐化学薬品侵食等特性を向上させるゴム管構造を提供する。【解決手段】ゴム管構造１は、ゴム管本体２、内外表面の二層のパリレン層３からなる。該パリレン層は、真空チャンバ内でパリレンダイマーを加熱してダイマー気体とし、熱分解によりダイマーを開裂させてモノマー気体として、各種材質のゴム管の内外面に蒸着させて重合させることにより均一なパリレンポリマー被膜を形成する。【選択図】図１
0003212808.tif 000002
【実用新案登録請求の範囲】
【請求項１】
ゴム管構造において、
ゴム管本体の内外表面の二層のパリレン層が真空無応力コーティング工程（熱ＣＶＤ）によってそれぞれ成形されてなることを特徴とするゴム管構造。
【請求項２】
前記パリレン層は、パリレンＣ、パリレンＤ、パリレンＮもしくはパリレンＡＦ４とすることを特徴とする請求項１記載のゴム管構造。
【請求項３】
前記ゴム管本体は、天然ゴム管、ニトリルゴム管、水素化ニトリルゴム管、シリコンゴム管、クロロプレンゴム管、ポリエチレンゴム管、ポリプロピレンゴム管、ポリ塩化ビニルゴム管、ナイロンゴム管、テレフタル酸ポリエチレンゴム管もしくはポリ四フッ化エチレンゴム管とすることを特徴とする請求項１記載のゴム管構造。
【考案の詳細な説明】
【技術分野】
【０００１】
本考案は、ゴム管構造に関するものである。
【背景技術】
【０００２】
ゴム管もしくはプラスチック管の用途は広く、工事、医療もしくは家用等の領域においてよく見かける。具体例として、医療用の各種侵入性人工ゴム管、例として挿管、人工気管、人工血管、ドレーン、経鼻胃管及び長期植込み型人工シリコンゴム管類等々、もしくは水管及び飲食用のストロー等の物品がある。これらの管体は一般に液体もしくは気体を流通する。
【先行技術文献】
【特許文献】
【０００３】
【特許文献１】特開２０１７−３５３０３号公報
【特許文献２】特開２０１５−７３６７８号公報
【考案の概要】
【考案が解決しようとする課題】
【０００４】
解決しようとする問題点として、公知のゴム管もしくはプラスチック管の技術的問題、例として、管体の本体材質の特性上の制限により、酸性もしくはアルカリ性液体の腐食に耐えることができないという問題が存在し、改善が待たれる。仮にユーザーが知らずに、もしくはうっかりとこれらの管体で不適合な物質を入れた場合、管体の寿命及び／もしくは使用者の安全が脅かされ、同時に管体の適用範囲が使用上の制限を受けて不便になる。その他、更に前述の侵入性人工ゴム管を例とした場合、人体内部に一定期間設置すると、人体内部の組織もしくは細胞に粘着しやすい問題が発生し、且つこれら管体は菌抑制、もしくは抗菌の機能を備えないため、一つには煩雑に交換しなければならないので医療者の負担が増す他、更に重要な点として、交換時に患者の不適合を招かないようにすることは非常に困難であるため上述の欠点において改善する必要がある。
【課題を解決するための手段】
【０００５】
本考案は、ゴム管本体、二層のパリレン層を備える。該二層のパリレン層は真空無応力コーティング工程で該ゴム管本体の外表面及び内表面にそれぞれ成形する。それによって、該ゴム管本体の外表面及び内表面上に熱ＣＶＤによる真空蒸着方式で均一にパリレンコーティング層が成形されることを最も主要な特徴とする。
【考案の効果】
【０００６】
本考案のゴム管構造は、該ゴム管本体の汚れ防止（生物粘着を含む）及び耐化学薬品侵食等特性を向上させ、更にゴム管製品の適用範囲と実用性を大幅に向上させるという利点がある。
【図面の簡単な説明】
【０００７】
【図１】本考案の実施例で部分断面構造指示図である。
【図１Ａ】本考案の実施例で、外観指示図である。
【図２】本考案の実施例で、医療用に応用した気管切開チューブの指示図である。
【図３】本考案の実施例で、医療用に応用した挿管の指示図である。
【考案を実施するための形態】
【０００８】
公知のゴム管もしくはプラスチック管の欠点に対し、適用範囲を拡げ、製品寿命を延ばすゴム管構造を提供することを本考案の目的とする。
【０００９】
上述の目的を達成するため、本考案はゴム管構造を提供し、それはゴム管本体、二層のパリレン層を含む。該二層のパリレン層は、真空無応力コーティング工程で該ゴム管本体の外表面と内表面にそれぞれ成形する。
【００１０】
そのうち、該パリレン層は、パリレンＣ、パリレンＤ、パリレンＮもしくはパリレンＡＦ４とする。
【００１１】
そのうち、該ゴム管本体は、天然ゴム管、ニトリルゴム管、水素化ニトリルゴム管、シリコンゴム管、クロロプレンゴム管、ポリエチレンゴム管、ポリプロピレンゴム管、ポリ塩化ビニルゴム管、ナイロンゴム管、テレフタル酸ポリエチレンゴム管、もしくはポリ四フッ化エチレンゴム管とする。
【００１２】
これらのゴム管本体の外表面及び内表面はどちらにも真空コーティング方式で該パリレン層を成形する。それによって、該ゴム管本体の汚れ防止（生物粘着を含む）及び耐化学薬品侵食等特性を向上させ、更にゴム管製品の適用範囲と実用性を大幅に高める。
【実施例】
【００１３】
図１と図１Ａに示すとおり、本考案は、ゴム管構造１を提供し、それは以下を含む。
【００１４】
ゴム管本体２は、実際用途、もしくは応用領域に基づいて異なる大きさ、サイズ及びその他必要な附加的な部材の製品を備えて製作され、具体的製品として、医療領域では液体配管、各式侵入性人工ゴム管の挿管、人工気管、人工血管、ドレーン及び経鼻胃管等々があり、工事領域では気体配管（各式気体もしくは液体を輸送するのに用いる導管ルート）、一般家用領域ではストロー及び水管等々を含むが、本考案は以上に限定されない。また該ゴム管本体２は、ゴム類で製作されるが、具体的な用途に適した材質に基づく。該ゴム管本体２は硬質管体でもよく、軟質管体でもよい。このように本考案で称する「ゴム類材質」は具体的にゴム類材料であり、例として天然ゴム（Natural Rubber、NR）、ニトリルゴム（Nitrile Rubber、NBR）、水素化ニトリルゴム（Hydrogenate Nitrile Rubber、HNBR）、シリコンゴム（Silicone Rubber、SI）及びクロロプレンゴム（Neoprene Rubber、CR）等々を含み、更にプラスチック類材料、例としてポリエチレン（PE）、及び（PP）、ポリ塩化ビニル（PVC）、ナイロン（Nylon）、テレフタル酸ポリエチレン（PET）及びポリ四フッ化エチレン（PTFE）等々を含む。当然、本考案のゴム管本体２は、実際上採用するゴム類材質もしくはプラスチック類材質はどちらも上述に限定するものではない。
【００１５】
二層のパリレン（Parylene）層３は、真空無応力コーティング工程（熱ＣＶＤとも称する）を採用し、それぞれ該ゴム管本体２の外表面及び内表面に形成する。製作時、先ず固体のパリレンの二量体（dimer）を１５０℃で加熱気化（sublimation）する。次に６５０℃の高温で前述気体のパリレン二量体を熱分解（pyrolysis）してパリレンの単量体（monomer）とする。最後に常温の環境下で該パリレン単量体気体を該ゴム管本体２内外表面にそれぞれ堆積させることにより、該表面で再度重合させ（polymerization）て均一なパリレンの薄膜を形成する。このようにして該ゴム管本体２内外表面に該パリレン層３を成形する。
【００１６】
好適な実施例として、該パリレン層３はパリレンＡＦ４（Parylene AF４）を優先的に採用する。一般によく見られるパリレンＣ（Parylene C）、パリレンＤ（Parylene D）もしくはパリレンＮ（Parylene N）、パリレンＡＦ４と比較して良好な耐熱特性を備える。
【００１７】
このように、優れた点として、パリレンダイマーは高温で開裂して、気相のナノ化したパリレンの単量体を形成するため、この単量体気体が該ゴム管本体２の内表面及び外表面上に均一に堆積する。
【産業上の利用可能性】
【００１８】
図３及び図４に示すとおり、本考案のゴム管構造１は、医療用の各式侵入性人工ゴム管にも応用される。それは図２が示す気管切開チューブ４の管体４１もしくは図３に示す挿管５の管体５１を製作した時、該ゴム管本体２の内表面と外表面上には真空無応力コーティング方式によって該パリレン層３がそれぞれ形成され、該気管切開チューブ４もしくは挿管５の管体４１、５１に抗菌及び更に良好な汚れ防止と自己潤滑等の特性を備えさせる。それによって人体の内部組織である気管粘膜組織が気管切開チューブ４もしくは挿管５に対して反応し、痰がからむ、もしくは分泌物及び粘着物発生する状況を防止もしくは減少させる。それによって、これら侵入性人工ゴム管が人体内部に装置される時間が延長され、拠って煩雑に交換しなくても良いので医療者の負担を軽減し、更に交換時、患者の不適感を大幅に下げるので、製品の実用性を大幅に向上させる。当然、前述のとおり、本考案の応用はこれに制限されない。例として、本考案のゴム管構造１は各種常見の生活用品、例として各式流体（化学物質もしくは酸、アルカリ物質を含む）を輸送する管線、飲食用のストローもしくは図３に示すような水管５等々にも応用され、製品使用寿命を延長し、更に適用範囲を拡大し、更に本考案の応用効果を大幅に向上させる。
【符号の説明】
【００１９】
１      ゴム管構造               
２      ゴム管本体
３      パリレン層
４      気管切開チューブ
４１      管体
５      挿管
５１      管体
【図１】
0003212808.tif 000003
【図１Ａ】
0003212808.tif 000004
【図２】
0003212808.tif 000005
【図３】
0003212808.tif 000006
【手続補正書】
【提出日】平成29年7月31日(2017.7.31)
【手続補正１】
【補正対象書類名】実用新案登録請求の範囲
【補正対象項目名】請求項１
【補正方法】変更
【補正の内容】
【請求項１】
ゴム管構造において、
ゴム管本体の内外表面の二層のパリレン層が熱ＣＶＤ工程によってそれぞれ成形されてなることを特徴とするゴム管構造。